【手続補正書】
【提出日】平成15年6月10日(2003.6.10)
【手続補正１】
【補正対象書類名】明細書
【補正対象項目名】特許請求の範囲
【補正方法】変更
【補正の内容】
【特許請求の範囲】
【請求項１】
複数のナノパーティクルを含む流体と、該流体に電場を印加し、これにより、該流体を通じて該ナノパーティクルを移動させるように配列された少なくとも一つの電極とを含み、該ナノパーティクルは実質的に可視光の波長未満の直径を有する電気泳動ディスプレイであって、該ナノパーティクルの直径は、ナノパーティクルが分散された状態にあって、かつ、該流体にわたって均一に分散される場合に、低レベルの光散乱を表示し、その結果、該流体は、第１の光学的特徴を提示するが、該ナノパーティクルが集まって凝集して、個々のナノパーティクルより実質的に大きくなる凝集された状態にある場合に、該ナノパーティクルは、実質的に増加されたレベルの光散乱を表示し、その結果、該流体は、該第１の光学的特徴とは異なる第２の光学的特徴を提示し、該電場がそれらの分散された状態と凝集された状態との間に該ナノパーティクルを移動させるために有効であることを特徴とする電気泳動ディスプレイ。
【請求項２】
前記ナノパーティクルは、２００ｎｍ以下の平均直径を有することを特徴とする請求項１に記載の電気泳動ディスプレイ。
【請求項３】
前記ナノパーティクルは、５０ｎｍ以下の平均直径を有することを特徴とする請求項２に記載の電気泳動ディスプレイ。
【請求項４】
前記ナノパーティクルは、少なくとも一つの絶縁体を含むことを特徴とする請求項１〜３のいずれか１つに記載の電気泳動ディスプレイ。
【請求項５】
前記ナノパーティクルは、二酸化チタン、酸化亜鉛、粘土および珪酸マグネシウムのうちの任意の１以上を含むことを特徴とする請求項４に記載の電気泳動ディスプレイ。
【請求項６】
前記ナノパーティクルは、少なくとも一つの導体および／または少なくとも一つの半導体を含むことを特徴とする請求項１〜３のいずれか１つに記載の電気泳動ディスプレイ。
【請求項７】
前記ナノパーティクルは、銀、金およびセレン化カドミウムのうちの少なくとも一つを含むことを特徴とする請求項６に記載の電気泳動ディスプレイ。
【請求項８】
前記第１および第２光学的特徴は、異なる色であることを特徴とする請求項１〜７のいずれか１つに記載の電気泳動ディスプレイ。
【請求項９】
前記流体および前記ナノパーティクルは、少なくとも一つのカプセル内にカプセル化されることを特徴とする請求項１〜８のいずれか１つに記載の電気泳動ディスプレイ。
【請求項１０】
前記流体および前記ナノパーティクルは、１０〜５００μｍの範囲の直径を有する複数のミクロカプセル内にカプセル化されることを特徴とする請求項９に記載の電気泳動ディスプレイ。
【請求項１１】
異なる電気泳動移動度を有する少なくとも２つの異なる種類のナノパーティクルによって特徴付けられる請求項１〜１０のいずれか１つに記載の電気泳動ディスプレイ。
【請求項１２】
前記２つの異なる種類のナノパーティクルは、反対の極性の電荷を有すること特徴とする請求項１１に記載の電気泳動ディスプレイ。
【請求項１３】
前記ナノパーティクル含有流体が見られ得る表示表面によって特徴付けられる請求項１１または１２に記載の電気泳動ディスプレイであって、
（ａ）前記第１および第２の種類のナノパーティクルが該流体を通じて分散される第１の表示状態と、
（ｂ）該第１の種類のナノパーティクルが凝集され、該表示表面を通じて可視である第２の表示状態と、
（ｃ）該第２の種類のナノパーティクルが凝集され、該表示表面を通じて可視である第３の表示状態と
を有し、
該第１、第２および第３の表示状態は、少なくとも一つの光学的特徴において異なる、電気泳動ディスプレイ。
【請求項１４】
前記流体は着色され、前記第１の表示状態は、該流体の色を表示し、前記第２の表示状態は、前記表示表面に隣接して凝集された前記第１の種類のナノパーティクルの色を表示し、前記第３の表示状態は、該表示表面に隣接して凝集された前記第２の種類のナノパーティクルの色を表示することを特徴とする請求項１２または１３に記載の電気泳動ディスプレイ。
【請求項１５】
前記流体は、光伝達可能であり、前記表示は、反射性または着色された表面を、前記表示表面から該流体の反対側上にさらに含み、前記第１の表示状態は、該反射性または着色された表面を該流体を通じて表示することを特徴とする請求項１３に記載の電気泳動ディスプレイ。
【請求項１６】
前記第２の表示状態は、前記表示表面に隣接して凝集された前記第１の種類のナノパーティクルの色を表示し、前記第３の表示状態は、該表示表面に隣接して凝集された前記第２の種類のナノパーティクルの色を表示することを特徴とする請求項１２または１５に記載の電気泳動ディスプレイ。
【請求項１７】
前記第１および第２の種類のナノパーティクルは、同じ極性の電荷を有するが、該第１の種類のナノパーティクルは、該第２の種類のナノパーティクルより高い電気泳動移動度を有し、その結果、前記第２の表示状態において、該第１および第２の種類のナノパーティクルは、前記表示表面に対して両方とも凝集されるが、該第１の種類のナノパーティクルが、該表示表面により近く、そのため、該第１の種類は、該表示表面を通じて可視であり、第３の表示状態において、第１および第２の種類のナノパーティクルは、前記反射性または着色された表面に隣接して両方とも凝集されるが、該第１の種類のナノパーティクルが、該反射性または着色された表面により近く、そのため、該第２の種類が、該表示表面を通じて可視であることを特徴とする請求項１５に記載の電気泳動ディスプレイ。
【請求項１８】
複数のナノパーティクルを含む流体と、該流体に電場を印加し、これにより、該ナノパーティクルを該流体を通じて移動させるように配列された少なくとも一つの電極とを含み、該ナノパーティクルは、実質的に可視光の波長未満の直径を有する電気泳動ディスプレイであって、該ナノパーティクルの少なくともいくつかは、それぞれが単一の基板に付着された複数のナノパーティクルを含むユニットの形態であり、その結果、該ユニットに電場を印加する際、該ユニット内のパーティクル間の距離が変化し、これにより、該ユニットによって表示された前記光学的特徴を変化させることを特徴とする電気泳動ディスプレイ。
【請求項１９】
前記ユニットは、
（ａ）固定されたボディーに付着された一方の端部を有し、その反対側の端部に添付されるかまたは隣接する電気的に荷電されたボディーを有する細長い柔軟性のあるフィラメントであって、該固定されたボディーと該電気的に荷電されたボディーとの間の空間が空けられた間隔に固定された複数のナノパーティクルを有し、その結果、該ユニットに電場を付与する際、該固定されたボディーと該電気的に荷電されたボディーとの間の空間が変化され、これにより、該ナノパーティクル間の距離を変化させる、フィラメントを含むか、または、
（ｂ）第１の電気的に荷電されたボディーに付着された一方の端部と、該第１の電気的に荷電されたボディーに対して反対極性の電荷を有する第２の電気的に荷電されたボディーに付着されたその反対側の端部とを有する細長い柔軟性のあるフィラメントであって、該フィラメントは、２つの電気的に荷電されたボディー間の空間が空けられた間隔に固定された複数のナノパーティクルを有し、その結果、該ユニットに電場を付与する際に、２つの電気的に荷電されたボディー間の空間が変化し、これにより、該ナノパーティクル間の距離を変化させる、フィラメントを含む
ことを特徴とする請求項１８に記載の電気泳動ディスプレイ。
【請求項２０】
前記基板は、固定されたボディを含み、前記ナノパーティクルの少なくともいくつかは、電気的荷電を有し、柔軟性のあるフィラメントを介して該固定されたボディに付着され、その結果、該ナノパーティクルに電場を付与する際に、該ナノパーティクルと該固定されたボディとの間の空間が変化することを特徴とする請求項１８に記載の電気泳動ディスプレイ。
【請求項２１】
前記電極および前記流体の両方が光伝達可能であることを特徴とし、順に、
表示表面を形成する光伝達可能な電極と、
前記ナノパーティクル含有流体と、
光伝達可能な第２の電極と、
電気光学媒体と、
第３電極とを含み、該電気光学媒体は、該第２および第３電極間に電場を付与することによって第１の光学的状態と第２の光学的状態との間でスイッチングされることが可能であり、
（ａ）複数のナノパーティクルが該流体を通じて分散され、該電気光学媒体は、該第１の光学的状態にあり、該表示表面を通じて可視である第１の表示状態と、
（ｂ）複数のナノパーティクルが該流体を通じて分散され、該電気光学媒体が第２の光学的状態にあり、該表示表面を通じて可視である第２の表示状態と、
（ｃ）複数のナノパーティクルが凝集され、該表示表面を通じて可視である第３の表示状態と
を有し、該第１、第２および第３の表示状態は、少なくとも一つの光学的特徴において異なることによってさらに特徴付けられる請求項１〜２０のいずれか１つに記載の電気泳動ディスプレイ。
【請求項２２】
前記第３の表示状態において、前記複数の第１のナノパーティクルは凝集され、前記表示表面を通じて可視であり、電気的ディスプレイは、複数の第２のナノパーティクルが凝集され、該表示表面を通じて可視である第４の表示状態を有し、該第１、第２、第３および第４の表示状態は、少なくとも一つの光学的特徴において異なることを特徴とする請求項１１または２１に記載の電気泳動ディスプレイ。
【請求項２３】
前記電気光学媒体は、第２の電気泳動媒体を含むことを特徴とする請求項２１または２２に記載の電気泳動ディスプレイ。
【請求項２４】
前記第２の電気泳動媒体は、複数のナノパーティクルを第２の流体中に含むことを特徴とする請求項２３に記載の電気泳動ディスプレイ。
【請求項２５】
前記第２の電気泳動媒体は、第２の流体と、複数の第３の種類のナノパーティクルとを第２の流体中に含み、複数の第４の種類のナノパーティクルを該第２の流体中に含み、該第３および第４の種類のナノパーティクルは、電気泳動移動度において異なることを特徴とし、前記第１の表示状態において、該複数の第３のナノパーティクルは、凝集され、前記表示表面を通じて可視であり、前記第２の表示状態において、該複数の第４のナノパーティクルが凝集され、該表示表面を通じて可視であり、前記第１および第２の種類のナノパーティクルが関連される流体を通じて分散され、該第３および第４の種類のナノパーティクルが該第２の流体を通じて分散される第５の表示状態を有し、該第１、第２、第３、第４および第５の表示状態は、少なくとも一つの光学特徴において異なることをさらに特徴とする請求項２３または２４に記載の電気泳動ディスプレイ。
【請求項２６】
前記第２の流体は着色され、前記第３および第４の種類のナノパーティクルは、反対極性の電荷を有し、前記第５の表示状態は、該第２の流体の色を表示することを特徴とする請求項２５に記載の電気泳動ディスプレイ。
【請求項２７】
前記第２の流体は光伝達可能であり、反射性または着色された面を前記表示表面から該第２の流体の反対側上にさらに含み、前記第５の表示状態は、該第２の流体を通じて反射性または着色された面を表示することを特徴とする請求項２５に記載の電気泳動ディスプレイ。
【請求項２８】
前記第１から第５の表示状態は、白色、黒色、赤色、緑色および青色の状態または白色、黒色、黄色、シアンおよびマゼンタの状態を含むことを特徴とする請求項２５〜２７のいずれか１つに記載の電気泳動ディスプレイ。
【請求項２９】
電場を付与する際に流体を通じて移動させることが可能な複数のナノパーティクルを含む流体を含み、該ナノパーティクルは、実質的に可視光の波長未満の直径を有する電気泳動ディスプレイを動作させるためのプロセスであって、
（ａ）該流体に交流電流またはパルス直流電流場を付与して、これにより、該流体の全体にわたって該ナノパーティクルを分散させ、これにより、該ナノパーティクルに低レベルの光散乱を表示させ、その結果、該流体は、第１の光学特徴を提示する工程と、
（ｂ）該流体に直流電場を付与して、これにより、該ナノパーティクルを、個々のナノパーティクルより大きい凝集体に集中された凝集された状態に移行させて、その結果、該ナノパーティクルは、実質的に増加されたレベルの光散乱を表示して、該流体は、該第１の光学的特徴とは異なる第２の光学的特徴を提示する工程と
を包含する、プロセス。
【請求項３０】
実質的に可視光の波長未満の直径を有するナノパーティクルを含むナノパーティクルアセンブリであって、該ナノパーティクルから分離したオブジェクトと、該ナノパーティクルおよび該オブジェクトを結合し、その結果、該ナノパーティクルの少なくとも一つの光学的特徴が該ナノパーティクルと該オブジェクトとの間の空間により変動する、柔軟性のあるフィラメントとによって特徴付けられるナノパーティクルアセンブリ。
【請求項３１】
前記少なくとも一つのナノパーティクルおよび前記オブジェクトは、電気的に荷電され、その結果、アセンブリに電場を付与する際に、該ナノパーティクルと該オブジェクトとの間の空間が変化することを特徴とする請求項３０に記載のナノパーティクルアセンブリ。
【請求項３２】
請求項２〜９の任意の一つに規定された任意の１以上の性質によって特徴付けられる請求項３０または３１に記載のナノパーティクルアセンブリ。
【請求項３３】
前記オブジェクトは、
（ａ）単一のフィラメントに付着された少なくとも二つのナノパーティクルを含むような第二のナノパーティクルと、
（ｂ）前記フィラメントの一方の端部に添付されるかまたは隣接する電気的に荷電されたボディであって、固定されたボディに付着された反対側の端部を有し、該固定されたボディと該電気的に荷電されたボディとの間に空間を空けた間隔で固定された複数のナノパーティクルを有し、該固定されたボディと該家電されたボディとの間の空間は変化し、これにより、該ナノパーティクル間の距離が変化する、フィラメントか、または、
（ｃ）前記柔軟性のあるフィラメントの一方の端部に添付されるかまたは隣接する第一の電気的に荷電されたボディであって、該フィラメントは、該第一の電気的に荷電されたボディに対して反対極性の電荷を有する第二の電気的に荷電されたボディに付着された反対側端部を有し、該フィラメントは、該二つの電気的に荷電されたボディ間に空間を空けた間隔で固定された複数のナノパーティクルを有し、その結果、該ユニットに電場を付与する際に、該二つの電気的に荷電されたボディ間の空間が変化し、これにより、該ナノパーティクル間の距離が変化する、ボディと
を含むことを特徴とする請求項３０〜３２のいずれか１つに記載のナノパーティクルアセンブリ。
【請求項３４】
電気的荷電を有し、分離した柔軟性のあるフィラメントを介して前記オブジェクトに付着され、そのため、前記ナノパーティクルに電場を付与する際に、該ナノパーティクルと前記固定されたボディとの間の空間が変化する、複数のナノパーティクルによって特徴付けられる請求項３０〜３２のいずれか１つに記載のナノパーティクルアセンブリ。
【請求項３５】
前記オブジェクトは、複数のナノパーティクルを有するポリマー鎖であり、該ナノパーティクルは、分離したフィラメントを介して該ポリマー鎖上の空間が空けられた付着点に付着され、各ナノパーティクルは、結合さあれたフィラメントが該ポリマー鎖から離れるように延び、その結果、該ナノパーティクルは該ポリマー鎖から空間が空けられる第一の位置と、該ナノパーティクルが該ポリマー鎖に隣接して存在する第二の位置とを有すること特徴とする請求項３０〜３２のいずれか１つに記載のナノパーティクルアセンブリ。
【請求項３６】
前記ナノパーティクルは電気的に荷電され、前記ポリマー鎖は電気的に活性であり、該ナノパーティクルは、該電気的に活性なポリマー上の荷電を変化させることによって、それらの第一の位置からそれらの第二の位置に移動されることを特徴とする請求項３５に記載のナノパーティクルアセンブリ。
【請求項３７】
前記ナノパーティクルは、非球状であることを特徴とする請求項３０〜３６のいずれか１つに記載のナノパーティクルアセンブリ。
【請求項３８】
前記ナノパーティクルは、異なる物質のコアを取り囲む一つの物質のシェルを含むことを特徴とする請求項３０〜３７のいずれか１つに記載のナノパーティクルアセンブリ。
【請求項３９】
前記シェルおよびコアのうちの一方は、電気的に絶縁しており、他方は電気的に導通することを特徴とする請求項３８に記載のナノパーティクルアセンブリ。
【請求項４０】
複数のナノパーティクルを含むナノパーティクルアセンブリであって、ポリマー鎖であって、該ナノパーティクルは、該ポリマー鎖に沿って互いに空間が空けられ、該ポリマーは、第一および第二のコンホメーションを有し、その結果、該鎖に沿って隣接するナノパーティクル間の距離が該第一および第二のコンホメーションにおいて異なり、該ナノパーティクルアセンブリの少なくとも一つの光学的特徴が該第一および第二のコンホメーション間で異なる、ポリマー鎖によって特徴付けられるナノパーティクルアセンブリ。
【請求項４１】
前記ポリマー鎖は、酸化還元反応によりその第一および第二のコンホメーション間で変化され得ることを特徴とする請求項４０に記載のナノパーティクルアセンブリ。
【請求項４２】
連結基を介してオブジェクトに固定されたナノパーティクルを含むナノパーティクルアセンブリを形成するためのプロセスであって、
ナノパーティクルを、該連結基と、処理の条件下で該ナノパーティクルと反応することが可能な第一の官能基を含む連結試薬で処理し、これにより、該第一の官能基を該ナノパーティクルと反応させ、該連結基を該ナノパーティクルに固定する工程と、
その後に、該連結基を有する該ナノパーティクルを、第二の官能基を該連結基上に生成するのに効果的な改変試薬で処理する工程であって、該第二の官能基は、該オブジェクトと反応することが可能である、工程と、
その後に、該連結基と、該第二の官能基を有する該ナノパーティクルを、該第二の官能基を該オブジェクトと反応させるのに効果的な条件下に該オブジェトと接触させ、これにより、該ナノパーティクルアセンブリを形成する工程と
で特徴付けられるプロセス。
【請求項４３】
前記オブジェクトは、第二のナノパーティクルであることを特徴とする請求項４２に記載のプロセス。
【請求項４４】
前記二つのナノパーティクルは、反対極性の電荷を有することを特徴とする請求項４２または４３に記載のプロセス。
【請求項４５】
前記オブジェクトは電極であり、プロセスにおいて、複数のナノパーティクルは、分離した連結基を介して該電極に固定されることを特徴とする請求項４２に記載のプロセス。
【請求項４６】
（ａ）前記第一の官能基は、チオール、アミン、ホスフィンまたはヒドロキシル基を含むこと、
（ｂ）前記連結基は、アルキルまたはアルケン基を含むこと、
（ｃ）前記連結基は、５０ｎｍ以下の長さを有すること
の任意の１以上によって特徴付けられる請求項４２〜４５のいずれか１つに記載のプロセス。
【請求項４７】
前記第二の官能基の生成は、該第二の官能基の保護された形態から保護基を除去することによってもたらされること特徴とする請求項４２〜４６のいずれか１つに記載のプロセス。
【請求項４８】
前記第二の官能基は、チオール、アミン、ホスフィンまたはヒドロキシル基であることを特徴とする請求項４２〜４７のいずれか１つに記載のプロセス。
【請求項４９】
前記第二の官能基の前記保護された形態は、ベンジル、アセチル、アルキル、カルボネートまたはカルバメート保護基によって保護されたチオール基、または、ベンジル、カルバメート、カルボネートまたはアルキル基によって保護されたアミン基を含むか、または、イミン、アミドまたは尿素の群の形態であることを特徴とする請求項４８に記載のプロセス。